(57)【要約】      （修正有）【課題】商品見本への装着が容易で、慎重な作業を必要とせず、さらに、缶形、広口ボトル型、ボトル型などの異なる形状の商品見本にも対応でき、低コストで製造できる自動販売機用商品見本広告シートを提供する。【解決手段】広告文を表示する広告表示部２と、その下方に配置され、商品見本１０ａ，１０ｂ,１０ｃに装着するための水平方向の直線で形成されてなる切り込みを有する装着部３とからなる自動販売機用商品見本広告シート１による。【選択図】図１
2009099155.tif 000002
【特許請求の範囲】
【請求項１】
自動販売機の商品見本設置部に設置される半割状の商品見本に装着される広告シート（１）であって、広告文を表示する広告表示部（２）と、その下方に配置され、前記商品見本に装着するための水平方向の直線で形成されてなる切り込み（４）を有する装着部（３）とからなることを特徴とする自動販売機用商品見本広告シート。
【請求項２】
前記広告表示部（２）とその下方に配置された装着部（３）とが一体として形成されてなることを特徴とする請求項１に記載の自動販売機用商品見本広告シート。
【請求項３】
前記広告表示部（２）とその下方に配置された装着部（３）とが一体として形成された自動販売機用商品見本広告シートにおいて、
広告表示部（２）と装着部（３）との境界（９）に、その一部を接続部（５）として残した切れ目（６）を設けてなることを特徴とする請求項１又は２に記載の自動販売機用商品見本広告シート。
【請求項４】
前記広告表示部（２）とその下方に配置される装着部（３）とが接続部（５’）を介して一体化されてなることを特徴とする請求項１に記載の自動販売機用商品見本広告シート。
【請求項５】
前記接続部（５、５’）の左右両端から装着部（３）の切り込み（４）に向けて、装着部の上部（３ａ）を後方に折り曲げるための２本の折り線（７）を設けてなることを特徴とする請求項１〜４のいずれか１項に記載の自動販売機用商品見本広告シート。
【請求項６】
前記２本の折り線（７）の下部に、切り込み（４）に達する切れ目を入れることによって形成され、当該自動販売機用商品見本広告シート（１）を商品見本に装着した際、商品見本の上面に直立して広告表示部（２）を支持する支持片（８）を備えてなることを特徴とする請求項５に記載の自動販売機用商品見本広告シート。
【請求項７】
前記２本の折り線（７）の下部に、切り込み（４）に達する切り込みに向けて斜めに拡がる切れ目を入れることによって形成され、当該自動販売機用商品見本広告シート（１）を商品見本に装着した際、商品見本の上面に直立して広告表示部（２）を支持する支持片（８’）を備えてなることを特徴とする請求項５に記載の自動販売機用商品見本広告シート。
【請求項８】
前記自動販売機用商品見本広告シート（１）がポリエステル又はポリプロピレンなどの透明又は不透明な合成樹脂の薄板で形成されてなることを特徴とする請求項１〜７のいずれか１項に記載の自動販売機用商品見本広告シート。
【請求項９】
前記装着部（３）に設けられた切り込み（４）が、その両端に切込破断防止用の小孔からなる係止部（４０）を備えてなることを特徴とする請求項１〜８のいずれか１項に記載の自動販売機用商品見本広告シート。
【請求項１０】
前記装着部（３）に設けられる切り込み（４）が、その一部に商品見本への装着を容易にする切欠部（４１）を備えてなることを特徴とする請求項１〜９のいずれか１項に記載の自動販売機用商品見本広告シート。
【請求項１１】
前記切欠部（４１）が半円形であることを特徴とする請求項１０に記載の自動販売機用商品見本広告シート。
【発明の詳細な説明】
【技術分野】
【０００１】
本願発明は、自動販売機の商品見本設置部に設置される半割状の商品見本に装着される広告シートに関する。
【背景技術】
【０００２】
従来より、飲料用の自動販売機には商品見本設置部が設けられ、円筒状や半割状の商品見本が設置されており、消費者は、前記商品見本を見て購入する商品を選択するが、前記商品見本には、消費者の興味をひき購買意欲を高めるための、あるいは新商品の販売を促進するための情報を広告文として表示したシールやシートが貼着されている。
また、最近では、商品見本の蓋部下端に掛止する広告シートなども使用されている。
例えば、特開２００５−２６７２０２号公報には、合成樹脂製で、商品の広告を表示する表示片と、その上下両側にそれぞれ折り用ミシン目を介して設けられた一対の掛止片とからなり、表示片の中央部には、広告文を印刷表示した表示部を設ける一方、一対の掛止片には円筒状商品見本の蓋部を挿通可能で、挿通後には容易に脱却できないような大きさと形状の掛止孔を対称的に設け、これら掛止孔が対応するように前記掛止片を重ね合わせ折り曲げ状態で、円筒状商品見本の蓋部に掛止する自動販売機用商品見本広告シートが開示されている。
【特許文献１】特開２００５−２６７２０２号公報
【発明の開示】
【発明が解決しようとする課題】
【０００３】
一般に、商品見本に広告シールを貼着したり、広告シートを掛止する作業は、自動販売機内の商品を補充する者が行う。そしてその作業は、飲料用の自動販売機の多くが屋外、特に歩道や道路脇、店頭などに設置されているため、他人に迷惑がかからないようスピーディーに行う必要がある。
しかし、前記広告を表示したシールやシートを貼着するには、一枚一枚剥離紙を剥がして、広告面が曲がらないように慎重に貼り着けねばならず、スピーディーに行わなければならない作業の妨げになっている。また、剥がされた剥離紙は、廃棄物として持ち帰り処分しなければならない。
さらに、広告文を表示した広告シールやシートは、短期間で新しいものに交換される場合が多く、先に貼着されているものを剥がして、新しいものを貼着しなければならない。しかし、しっかりと貼られている広告シールやシートをきれいに剥がすのは至難の業であり、作業をさらに煩雑なものとしている。
【０００４】
一方、特開２００５−２６７２０２号公報に開示されている自動販売機用商品見本広告シートは、中央部に広告文を印刷表示した表示片の上下両側に配置された一対の掛止片に設けた掛止孔を円筒状商品見本の蓋部に掛止することにより広告シールやテープを商品見本に貼着する作業から脱しスピーディな作業を実現したが、広告シートを商品見本に掛止する際、表示片をミシン目に沿って折り曲げなければならず、この折り曲げ作業を慎重に行わないと表示片が傾いて掛止されることになる。
また、商品見本の蓋部を掛止孔に挿通して掛止する構成であり、商品見本と広告シートが固着されていないため、商品見本に広告シートを正しく掛止したとしても自動販売機へ商品見本を設置する際や、その後の振動などにより、広告シートが動いて表示片が傾いたり、回転したりして非常に見苦しい状態になるおそれがある。
さらに、前記広告シートは、商品見本の蓋部を掛止孔に挿通して掛止する構造上、商品見本の蓋部の口径の大小により、形状を変更する必要があり、製作コストがかかるという問題がある。
また、缶型の商品見本には装着できないという問題もある。
そこで、本願発明者は上記問題を解決すべく、商品見本への装着が容易で、慎重な作業を必要とせず、さらに、様々な商品見本の形状にも対応でき、低コストで製造できる自動販売機用商品見本広告シートを提供する。
【課題を解決するための手段】
【０００５】
本願発明者は、鋭意実験研究の結果、次の手段により前記課題を解決した。
〔１〕自動販売機の商品見本設置部に設置される半割状の商品見本に装着される広告シート（１）であって、広告文を表示する広告表示部（２）と、その下方に配置され、前記商品見本に装着するための水平方向の直線で形成されてなる切り込み（４）を有する装着部（３）とからなることを特徴とする自動販売機用商品見本広告シート。
〔２〕前記広告表示部（２）とその下方に配置された装着部（３）とが一体として形成されてなることを特徴とする前記〔１〕に記載の自動販売機用商品見本広告シート。
〔３〕前記広告表示部（２）とその下方に配置された装着部（３）とが一体として形成された自動販売機用商品見本広告シートにおいて、
広告表示部（２）と装着部（３）との境界（５）に、その一部を接続部（５）として残した切れ目（６）を設けてなることを特徴とする前記〔１〕又は〔２〕に記載の自動販売機用商品見本広告シート。
【０００６】
〔４〕前記広告表示部（２）とその下方に配置される装着部（３）とが接続部（５’）を介して一体化されてなることを特徴とする前記〔１〕に記載の自動販売機用商品見本広告シート。
〔５〕前記接続部（５、５’）の左右両端から装着部（３）の切り込み（４）に向けて、装着部の上部（３ａ）を後方に折り曲げるための２本の折り線（７）を設けてなることを特徴とする前記〔１〕〜〔４〕のいずれか１項に記載の自動販売機用商品見本広告シート。
〔６〕前記２本の折り線（７）の下部に、切り込み（４）に達する切れ目を入れることによって形成され、当該自動販売機用商品見本広告シート（１）を商品見本に装着した際、商品見本の上面に直立して広告表示部（２）を支持する支持片（８）を備えてなることを特徴とする前記〔５〕に記載の自動販売機用商品見本広告シート。
〔７〕前記２本の折り線（７）の下部に、切り込み（４）に達する切り込みに向けて斜めに拡がる切れ目を入れることによって形成され、当該自動販売機用商品見本広告シート（１）を商品見本に装着した際、商品見本の上面に直立して広告表示部（２）を支持する支持片（８’）を備えてなることを特徴とする前記〔５〕に記載の自動販売機用商品見本広告シート。
【０００７】
〔８〕 前記自動販売機用商品見本広告シート（１）がポリエステル又はポリプロピレンなどの透明又は不透明な合成樹脂の薄板で形成されてなることを特徴とする前記〔１〕〜〔７〕のいずれか１項に記載の自動販売機用商品見本広告シート。
〔９〕前記装着部（３）に設けられる切り込み（４）が、その両端に切込破断防止用の小孔からなる係止部（４０）を備えてなることを特徴とする前記〔１〕〜〔８〕のいずれか１項に記載の自動販売機用商品見本広告シート。
〔１０〕前記装着部（３）に設けられる切り込み（４）が、その一部に商品見本への装着を容易にする切欠部（４１）を備えてなることを特徴とする前記〔１〕〜〔９〕のいずれか１項に記載の自動販売機用商品見本広告シート。
〔１１〕前記切欠部（４１）が半円形であることを特徴とする前記〔１０〕に記載の自動販売機用商品見本広告シート。
【発明の効果】
【０００８】
本願発明の自動販売機用商品見本広告シートは、広告文を表示する広告表示部と、その下方に配置され、前記商品見本に装着するための切り込みを有する装着部とからなるので、商品見本への商品見本広告シート装着作業は、半割状の商品見本の上面を、装着部に備えた切り込みに挿入するか、あるいは前記切り込みを広げて商品見本の上部に差し込むだけよく、単純かつ容易に効率よくスピーディーに実施できる。
そして、前記装着部に設けられる切り込みが、水平方向の直線で形成されているので、装着部の切り込みに商品見本の上面が挿入されたとき、装着部の上部と下部とで前記商品見本の上面を確実に挟持できる。
【０００９】
また、本願発明の自動販売機用商品見本広告シートは、前記広告表示部とその下方に配置された装着部とが一体として、例えば長方形や正方形の一枚のシートで形成されてなるので、製作が容易でコストダウンを図ることができ、製作時や運搬時等に破損することがない。
【００１０】
上記効果に加えて、広告表示部と装着部が一体として形成された自動販売機用商品見本広告シートの広告表示部と装着部との境界に、その一部を接続部として残した切れ目を設けたので、広告表示部は自動販売機用商品見本広告シートを商品見本に装着したとき湾曲する装着部に追従して湾曲することなく、正面を向くので、広告表示部に表示された広告文全文を消費者に提示でき、広告効果を高めることができる。
【００１１】
そして、本願発明の自動販売機用商品見本広告シートは、広告表示部とその下方に配置される装着部とが接続部を介して一体化されるので、広告表示部を様々な形状に加工して消費者の関心を引きやすくでき、商品に対する高い広告効果を期待することができる。
【００１２】
また、前記接続部の左右両端から装着部の切り込みに向けて、装着部の上部を後方に折り曲げる２本の折り線を設けたことにより、前記折り線で挟まれた装着部の部分は、前記折り線をあらかじめ後方に折り曲げておくことによって、広告シートを商品見本に装着したときに前記装着部が湾曲してもその影響を受けないので、接続部を介してこの２本の折れ線で挟まれた装着部の部分に接続されている広告表示部も湾曲せず、広告表示部に表示された広告文は正面を向いて商品見本に装着されることになる。
【００１３】
前記２本の折り線の下部に、切り込みに達する切れ目を入れることによって形成された支持片を備えているので、当該自動販売機用商品見本広告シートを商品見本に装着した際、前記支持片が商品見本の上面に直立して広告表示部を支持し、前記自動販売機用商品見本広告シートを確実安定に商品見本に装着することができる。
【００１４】
また、前記支持片を形成する折り線の下部の切れ目が、切り込みに向けて斜めに拡がっているので、前記支持片の下端の商品見本への当接面積が増え、前記自動販売機用商品見本広告シートをより一層確実に安定して商品見本に装着することができる。
【００１５】
そして、本願発明の自動販売機用商品見本広告シートは、ポリエステルやポリプロピレンなどの透明又は不透明な合成樹脂の薄板で形成されることにより、破損しにくく、耐久性に優れ、また長期間の複数回の使用もできる。
【００１６】
さらに、装着部に設けられる切り込みが、その両端に切込破断防止用の小孔からなる係止部を備えているので、切り込みの端部における破断を防止することができるだけでなく、前記係止部の小孔の半径を、半割状の商品見本の縁に形成されたばりの長さと同程度とすることによって、係止部がばりに確実に引っ掛かるので、商品見本に装着した自動販売機用商品見本広告シートが振動等によってずれることがなく、常時広告表示面を正面に向けておくことができる。
【００１７】
そしてまた、装着部に設けられた切り込みの一部に商品見本への装着を容易にする切欠部、例えば半円形の切欠部を備えているので、切り込みを前後に開きやすく、自動販売機用商品見本広告シートの商品見本、特にボトル形商品見本への装着が容易で、スピーディーに行うことができる。
【発明を実施するための最良の形態】
【００１８】
本願発明にかかる自動販売機用商品見本広告シートは、自動販売機の商品見本設置部に設置される半割状の商品見本に装着される広告シートである。
そして自動販売機で販売される商品の容器、特に飲料の容器は缶、広口ボトル、ボトルと多様であり、それら容器を縦に半割にした形状を模して作られる商品見本も、缶形、広口ボトル形、ボトル形と多様な形状をなすが、本願発明の自動販売機用商品見本広告シートは、そのいずれにも装着可能なものである。
本願発明の自動販売機用商品見本広告シートは、ポリエステルやポリプロピレンなどの透明又は不透明な合成樹脂の薄板、紙（防水紙）、ステンレスの薄板等、ある程度の硬度と弾性を備え、かつ広告文が印刷可能な素材で作られることが好ましい。
本願発明の自動販売機用商品見本広告シートの実施の形態を、実施例の図に基づいて説明する。
図１は、本願発明の自動販売機用商品見本広告シートの一実施例の正面図及び商品見本に装着した状態を示す説明図である。
図２−ａは、本願発明の実施例１〜４の正面図、図２−ｂは本願発明の実施例５〜８の正面図、図２−ｃは本願発明の実施例９〜１２の正面図、図３は缶型商品見本に実施例１の本願発明の自動販売機用商品見本広告シートを装着する手順の説明図、図４は、缶型商品見本に実施例１１の本願発明の自動販売機用商品見本広告シートを装着する手順の説明図、図５は、ペットボトル型商品見本に実施例１１の本願発明の自動販売機用商品見本広告シートを装着する手順の説明図である。
図中、１は広告シート、１ａ〜１ｌは実施例１〜１２の広告シート、２は広告表示部、３は装着部、３ａは装着部の上部、３ｂは装着部の下部、４は切り込み、５、５’は接続部、６は切れ目、７は折り線、８、８’は支持片、９は境界、１０ａ〜１０ｃは商品見本で１０ａは缶形の、１０ｂは広口ボトル形の，１０ｃはボトル形の商品見本であり、また、４０は係止部、４１は切欠部である。
【００１９】
本願発明の自動販売機用商品見本広告シート１は、図１の（ａ）に示すように、広告文を表示する広告表示部２と、その下方に配置され、商品見本１０ａ、１０ｂ、１０ｃに装着するための切り込み４を有する装着部３とで構成されている。
そして、前記自動販売機用商品見本広告シート（以下広告シートと略記する）１は、図１の（ｂ）〜（ｄ）に示すように、商品見本１０ａ、１０ｂ、１０ｃの形状に合わせて、その上部に装着される。
図１（ｂ）は、缶形商品見本１０ａに本願発明の広告シート１を装着した図で、半割状の缶型商品見本１０ａの上面を、広告シート１の装着部３の切り込み４に挿入することによって装着されている。
図１（ｃ）は、広口ボトル形商品見本１０ｂに本願発明の広告シート１を装着した図で、半割状の広口ボトル形商品見本１０ｂの蓋部の上面を、広告シート１の装着部３の切り込み４に挿入することによって装着されている。
図１（ｄ）は、ボトル形商品見本１０ｃに本願発明の広告シート１を装着した図で、ボトル形商品見本１０ｃの蓋部を、広告シート１の装着部３の切り込み４に挿入して装着されている。
以下、図２−ａ〜ｃにその正面図を示した本願発明の自動販売機用商品見本広告シート１の実施例１〜１２の詳細について説明する。
【実施例１】
【００２０】
図２−ａの実施例１に示す広告シート１ａは、広告表示部２とその下方に配置された装着部３とが一体として形成され、前記装着部３に広告シート１ａを商品見本に装着するための切り込み４を備えた、最もシンプルな基本的な形状をなすものである。
本実施例の広告シート１ａを長方形や正方形の一枚のシートで形成すれば、複雑な加工が不要で、加工費や材料費が削減でき、製品コストの大幅ダウンを図ることができる。
さらに、複数枚を重ねておけるので、嵩張らず貯蔵や運搬が容易で、搬送時等に破損することもない。
【実施例２】
【００２１】
図２−ａの実施例２に示す広告シート１ｂは、実施例１の広告シートと同様、広告表示部２とその下方に配置された装着部３とが一体として形成され、前記装着部３に設けられた切り込み４の両端に、切込破断防止用の小孔からなる係止部４０が備えられている。
本願発明の自動販売機用商品見本広告シート１の装着部３は、同装着部３に設けられた切り込み４によって、上部３ａと下部３ｂとに分けられ、この装着部の上部３ａと下部３ｂとで缶形及び広口ボトル形の商品見本１０ａ、１０ｂの上面を挟持して商品見本１０ａ、１０ｂに装着する。またボトル形商品見本１０ｃの場合には、前記切り込み４を広げて商品見本１０ｃの上部に差し込み、商品見本１０ｃの蓋部の下方を、前記装着部の上部３ａと３ｂとで前後から挟持して、商品見本１０ｃに装着する（図５参照）。
そのため、切り込み４は、商品見本に装着しやすい長さで形成されるが、装着部３の左右両端の切り込み４が設けられていない部分は、広告シート１を商品見本１０ａ、１０ｂ、１０ｃに装着した際、商品見本の裏面からはみ出る部分であるので、この部分があまり大きくならないよう切り込み４を形成することが好ましい。これは、自動販売機によって商品見本の設置方法が異なり、商品見本の裏面から広告シート１の装着部３が大きくはみ出ると自動販売機に商品見本が設置できなくなる場合が出てくることを考慮してのことである。
したがって、本実施例では装着部３の左右両端部から３〜１０ｍｍ残して切り込み４を形成しているが、自動販売機の商品見本設置部への商品見本の設置方法によって、その残す長さを適宜決定することが好ましい。
なお、本実施例２の広告シート１ｂの装着部３に設けられる切り込み４は、その両端に切込破断防止用の小孔からなる係止部４０を備えているので、装着部３の幅ギリギリまで切り込み４を形成しても、切り込み４の端部が破断することはない。
一方、本願発明の自動販売機用商品見本広告シート１の広告表示部２は、商品見本に装着可能な程度の大きさで、自動販売機に設置された際に、隣接する商品見本に接触する等の不都合がない程度であれば、任意の大きさで形成することができる。
また、本願発明における広告シート１の装着部３の切り込み４は、水平な直線で形成されている。したがって、切り込み４に缶形商品見本１０ａや広口ボトル形商品見本１０ｂの上面を挿入した際、装着部の上部３ａと下部３ｂが商品見本１０ａ、１０ｂの上面に接触する辺が直線になり安定した装着が実現でき、またボトル型商品見本１０ｃへの装着も、装着部の上部３ａと下部３ｂが商品見本１０ｃと接触する辺がそれぞれ直線となるので、商品見本１０ｃ蓋部の下方を狭持することができ装着を可能にしている。
【００２２】
図２−ａの実施例３に示す広告シート１ｃは、実施例１の広告シートと同様広告表示部２とその下方に配置された装着部３とが一体として形成されている。そして、広告表示部２と装着部３との境界９に、その一部を接続部５として残した切れ目６が設けられている。
前記切れ目６により、広告シート１ｃの広告表示部２は、接続部５を残して装着部３と分断されているので、広告シート１ｃが商品見本に装着された際、広告表示部２は、湾曲する装着部３には影響されず、広告表示部２は正面を向いた平面となり、広告文全文を消費者に表示でき、購買意欲を高めることができる。
【００２３】
図２−ａの実施例４に示す広告シート１ｄは、任意の形状に形成された広告表示部２とその下方に配置された装着部３とで構成され、前記広告表示部２と装着部３は接続部５’を介して一体に構成されている。本実施例の広告シート１ｄは、広告表示部２と装着部３を一体に形成する他、広告表示部２を別個に製造して、別途接続部５’によって装着部３と接続してもよい。
すなわち、本実施例の広告シート１ｄは、様々な形状の広告表示部１を備えたもであって、その形状をアイキャッチとして消費者の目を引きつけ購買意欲の喚起を促すことができる。
【００２４】
図２−ｂの実施例５に示す広告シート１ｅは、広告表示部２とその下方に配置された装着部３とが一体として形成され、広告表示部２と装着部３との境界９に、その一部を接続部５として残した切れ目６が設けられ、かつ前記接続部５の左右両端から装着部３の切り込み４に向けて、装着部の上部３ａを後方に折り曲げる２本の折り線７を設けたものである。
したがって、本実施例の広告シート１ｅは、前記折り線７、７をあらかじめ後方に折り曲げておくことによって、広告シート１ｅを商品見本に装着したとき前記装着部３が湾曲してもこの２本の折れ線で挟まれた装着部３の部分はその影響を受けず、接続部５を介して接続されている広告表示部２も湾曲せず、広告表示部２に表示された広告文を正面に向けて商品見本に装着することができる。
【００２５】
図２−ｂの実施例６に示す広告シート１ｆは、任意の形状に形成された広告表示部２とその下方に配置された装着部３とが接続部５’を介して一体に構成され、かつ前記接続部５’の左右両端から装着部３の切り込み４に向けて、装着部の上部３ａを後方に折り曲げる２本の折り線７を設けたものである。
したがって本実施例の広告シート１ｆは、前記折り線７、７をあらかじめ後方に折り曲げておくことによって、本広告シート１ｆを商品見本に装着したとき、前記装着部３が湾曲してもこの２本の折れ線で挟まれた装着部３の部分はその影響を受けず、したがって、接続部５を介して接続されている広告表示部２も湾曲せず、広告表示部２に表示された広告文を正面を向けて商品見本に装着することができる。
【００２６】
図２−ｂの実施例７に示す広告シート１ｇは、実施例５に示した折り線７、７を備えた広告シートの前記２本の折り線７、７の下部に、切り込み４に達する切れ目入れることによって形成され、当該自動販売機用商品見本広告シート１を商品見本に装着した際、商品見本の上面に直立して広告表示部２を支持する支持片８を備えたものである。前記支持片８は、本実施例の広告シート１ｇを商品見本に装着したとき、装着部の上部３ａから離れて商品見本の上面に直立するので、広告表示部２を正面に向けて直立させることができる。
【００２７】
図２−ｂの実施例８に示す広告シート１ｈは、実施例６に示した折り線７、７を備えた任意の形状の広告表示部２を持つ広告シートの前記２本の折り線７、７の下部に、切り込み４に達する切れ目入れることによって形成され、当該自動販売機用商品見本広告シート１を商品見本に装着した際、商品見本の上面に直立して広告表示部２を支持する支持片８を備えたものである。前記支持片８は、本実施例の広告シート１ｈを商品見本に装着したとき、装着部３の上部から離れて商品見本の上面に直立するので、広告表示部２を正面に向けて直立させることができる。
【００２８】
図２−ｃの実施例９に示す広告シート１ｉは、実施例７に示した広告シートの２本の折り線７、７の下部の切り込み４に達する切れ目が、切り込み４に向かって斜めに拡がるようにして形成された支持片８’を備えたものである。前記２本の折り線７、７の下部の切り込み４が切り込みに向かって斜めに拡がるよう形成されているので支持片８’は末広がりとなり、商品見本との当接面積が増え、広告表示部２をより安定して直立させることができる。
【００２９】
図２−ｃの実施例１０に示す広告シート１ｊは、実施例８に示した広告シートの２本の折り線７、７の下部の切り込み４に達する切れ目が、切り込み４に向かって斜めに拡がるようにして形成された支持片８’を備えたものである。前記２本の折り線７、７の下部の切り目が切り込みに向かって斜めに拡がるよう形成されているので支持片８’は末広がりとなり、商品見本との当接面積が増え、実施例９と同様に広告表示部２をより安定して直立させることができる。
【００３０】
図２−ｃの実施例１１に示す広告シート１ｋ、及び図２−ｃの実施例１２に示す広告シート１ｌは、装着部３に設けられた切り込み４に、商品見本への装着を容易にする切欠部４１を備えたものである。
この切欠部４１は、商品見本、特にボトル形商品見本へ広告シートを装着する際に必要な切り込み４の前後への開閉をスムーズにして、装着作業がスピーディー行えるようにするねらい持っている。切欠部４１を切り込み４に設けることによって、装着部の上部３ａと下部３ｂとの切り込み４における接触面が縮小され、切り込み４を前後に開く際にかかる抵抗が削減され、切り込み４の開閉が容易となる。
なお、図においては、切欠部４１は、装着部の下部３ｂに半円形で形成されているが、切り込み４の上下に位置する装着部の上部３ａと下部３ｂの接触面が一部取り除かれて縮小するよう形成されればよく、したがって、切欠部４１の形成位置は装着部の上部３ａでも下部３ｂでもよく、その形状も半円形に限定されるものではない。
【００３１】
次に、本願発明の自動販売機用商品見本広告シートを商品見本へ装着する手順について図３〜５に基づいて説明する。
図３は、実施例１に示した本願発明の自動販売機用商品見本広告シート１ａを、缶形商品見本１０ａに装着する手順の説明図であり、広告シート１ａは、図３のステップ１〜３の手順で缶形商品見本１０ａに装着される。
（ａ）ステップ１：広告シート１ａの左右両端を指でつまんで、広告表示部２の広告文表示面が前方に凸になるように湾曲させる。
（ｂ）ステップ２：広告シート１ａを湾曲させたまま、前記広告シート１ａの装着部３に設けられた切り込み４に半割状の缶形商品見本１０ａの上面を挿入する。
（ｃ）ステップ３：広告シート１ａを湾曲させていた指を離し、商品見本１０ａの上面を広告シート１ａの装着部の上部３ａと下部３ｂとで挟持させ、広告シート１ａを缶形商品見本１０ａに装着させる。
【００３２】
図４は、実施例１１示した本願発明の自動販売機用商品見本１ｋを缶形商品見本１０ａに装着する手順の説明図であり、広告シート１ｋは、図４のステップ１〜ステップ３の手順で缶形商品見本１０ａに装着される。
（ａ’）ステップ１：広告シート１ｋの左右両端を指でつまんで、装着部３が広告表示部２の広告文表示面側に凸になるよう湾曲させるとともに、２本の折り線７、７を山折りにする。
（ｂ’）ステップ２：広告シート１ｋの装着部３を湾曲させたまま、前記広告シート１ｋの装着部３に設けられた切り込み４に半割状の缶形商品見本１０ａの上面を挿入する。
（ｃ’）ステップ３：広告シート１ｋの装着部３を湾曲させていた指を離し、商品見本１０ａの上面を広告シート１ｋの装着部の上部３ａと下部３ｂとで挟持させるとともに、支持片８’の下端を缶型商品見本１０ａの上面に当接して直立させ、さらに切り込み４の両端の係止部４０を半割状の缶形商品見本１０ａの側端のばり、あるいは側端に嵌合し、広告シート１ｋを缶形商品見本１０ａに装着させる。
【００３３】
本願発明の自動販売機用商品見本広告シートは、図４及び図５に示した装着手順のいずれかによって、すなわち装着部３の切り込みに缶形商品見本の上面を差し込むことで、実施例１〜実施例１２に示した広告シート１ａ〜１ｌのいずれもが、缶形商品見本１０ａに確実に装着される。
また、広口ボトル形商品見本１０ｂへの実施例１〜１２に示した広告シート１ａ〜１Ｌの装着も、その装着手順は図示しないものの、缶形商品見本１０ａへの装着と同様に、広口ボトル形商品見本１０ｂの蓋部の上面を切り込み４に挿入することによって実現できる［図１（ｃ）参照］。
【００３４】
図５は、実施例１１に示した本願発明の自動販売機用商品見本広告シート１ｋをボトル形商品見本１０ｃに装着する手順の説明図であり、広告シート１ｋは、図５のステップ１〜ステップ４の手順で缶形商品見本１０ａに装着される。
（ａ”）ステップ１：広告シート１ｋの装着部の上部３ａを前方に下部３ｂを後方に引いて切り込み４を前後に開く。折り線７はあらかじめ山折りにしておく。
（ｂ”）ステップ２：ステップ１で前後に開かれた装着部の上部３ａと下部３ｂとの間に、ボトル形商品見本１０ｃの蓋部を挿入する。
（ｃ”）ステップ３：支持片８’の下端がボトル形商品見本１０ｃに接触する位置に、広告シート１ｋを配設する。
（ｄ”）ステップ４：装着部の下部３ｂを、ボトル形商品見本１０ｃの裏側の中空部に押し込み、装着部の上部３ａと下部３ｂとで、ボトル形商品見本１０ｃの蓋部の下方を挟み込むようにして固定する。この際係止部４０が、ボトル形商品見本１０ｃの側端ばりまたは側端に係止していることを確認する。
【００３５】
本願発明の自動販売機用商品見本広告シートは、図５で示した装着手段により、実施例１〜実施例１２の広告シート１ａ〜１ｌのいずれもがボトル形商品見本１０ｃに装着できる。
装着部の下部３ｂを、ボトル形商品見本１０ｃの裏側の中空部に押し込むことにより、装着部の上部３ａと下部３ｂとが、ボトル形商品見本１０ｃの蓋部下方を前後からしっかり挟み込むので、広告シート１は、強固に装着される。
また、支持片８、８’が形成されている場合には、その下端部がボトル形商品見本１０ｃの前面の肩部に当接して直立するので、本願発明の自動販売機用商品見本広告シートは、安定した状態でボトル形商品見本に装着できる。
【図面の簡単な説明】
【００３６】
【図１】本願発明の自動販売機用商品見本広告シートの一実施例の正面図及び商品見本に装着した状態を示す説明図
【図２−ａ】本願発明の自動販売機用商品見本広告シートの実施例１〜４の正面図
【図２−ｂ】本願発明の自動販売機用商品見本広告シートの実施例５〜８の正面図
【図２−ｃ】本願発明の実施例自動販売機用商品見本広告シートの９〜１２の正面図
【図３】缶形商品見本に実施例１の本願発明の自動販売機用商品見本広告シートを装着する手順の説明図
【図４】缶型商品見本に実施例１１の本願発明の自動販売機用商品見本広告シートを装着する手順の説明図
【図５】ペットボトル型商品見本に実施例１１の本願発明の自動販売機用商品見本広告シートを装着する手順の説明図
【符号の説明】
【００３７】
１：自動販売機用商品広告シート
１ａ〜１ｊ：実施例として示した自動販売機用商品広告シート
２：広告表示部
３：装着部
３ａ：装着部の上部
３ｂ：装着部の下部
４：切り込み
５、５’：接続部
６：切れ目
７：折り線
８、８’：支持片
９：境界
１０ａ：缶形商品見本
１０ｂ：広口ボトル形商品見本
１０ｃ：ボトル形商品見本
４０：係止部
４１：切欠部
【図１】
2009099155.tif 000003
【図２−ａ】
2009099155.tif 000004
【図２−ｂ】
2009099155.tif 000005
【図２−ｃ】
2009099155.tif 000006
【図３】
2009099155.tif 000007
【図４】
2009099155.tif 000008
【図５】
2009099155.tif 000009